(57)【特許請求の範囲】
【請求項１】
洗浄水により洗浄される洋風便器本体と、該洋風便器本体に洗浄水を供給可能な給水装置と、該給水装置を作動させて該洗浄水を該洋風便器本体に吐水させる吐水装置と、該給水装置及び該吐水装置を収納するカバーと、該カバーの外面に設けられ、該吐水装置を手動操作可能な洗浄ハンドルとを備えた洋風水洗式便器において、
前記吐水装置は、前記カバーに装着され、前記洗浄ハンドルに結合された操作手段と、該操作手段と離反可能に前記給水装置に装着され、該操作手段との係合により作動可能な被操作手段とからなり、
該カバーは、前部カバーと、該前部カバーに固定された後部カバーとからなり、
前記洋風便器本体の後部上面に固定され、給水装置を載置する後部ベースプレートと、該後部ベースプレートに対して昇降装置により昇降可能に設けられ、該前部カバーが固定される前部ベースプレートとを備え、
該昇降装置による該前部ベースプレートの昇降に伴い、該カバー全体が昇降することを特徴とする洋風水洗式便器。
【請求項２】
給水装置は洗浄水を貯留する洗浄タンクであり、被操作手段は該洗浄タンクの吐水弁を開放するものであることを特徴とする請求項１記載の洋風水洗式便器。
【請求項３】
操作手段は、洗浄ハンドルをカバーに軸支する作動軸と、該作動軸から径方向に突出し、該洗浄ハンドルの操作により下方に揺動する第１レバーとを有し、被操作手段は、該第１レバーの下方に位置し、該第１レバーの揺動により下方に揺動する第２レバーを有することを特徴とする請求項２記載の洋風水洗式便器。
【発明の詳細な説明】
【０００１】
【発明の属する技術分野】
本発明は洋風水洗式便器に関する。
【０００２】
【従来の技術】
従来、陶磁器製の洋風便器本体と、この洋風便器本体に洗浄水を供給可能な給水装置と、この給水装置を作動させて洗浄水を洋風便器本体に吐水させる吐水装置とを備えた洋風水洗式便器が知られている。給水装置及び吐水装置はカバーに収納されている。給水装置としては、洗浄水を貯留する洗浄タンクや水道管に直結される開閉弁がある。
【０００３】
給水装置が洗浄タンクである場合、吐水装置としては、カバーの外面に備えられた洗浄ハンドルに結合されたレバー、このレバーと連結され、洗浄タンクの吐水弁を開放するチェーン等が用いられている。また、この洋風水洗式便器では、リモコンからの信号により、レバーを揺動するためのモータ等も吐水装置として用いられている。この洋風水洗式便器では、洗浄ハンドルを手動操作したり、レバーをモータによって駆動したりすると、レバーが揺動し、チェーンによって吐水弁が開放される。これにより、洗浄タンク内に貯留されていた洗浄水が洋風便器本体に吐水され、洋風便器本体が洗浄される。
【０００４】
また、給水装置が開閉弁である場合には、吐水装置として、カバーの外面に備えられた洗浄ハンドルに結合されたカムシャフト、このカムシャフトに固定され、開閉弁を開閉するためのカム等が用いられている。また、この洋風水洗式便器では、リモコンからの信号により、カムシャフトを揺動するためのモータ等も吐水装置として用いられている。この洋風水洗式便器では、洗浄ハンドルを手動操作したり、カムシャフトをモータによって駆動したりすると、カムシャフトが揺動し、カムのプロフィールによって開閉弁のロッドが上下し、開閉弁が開放される。これにより、水道管内の水道水が洗浄水として洋風便器本体に直接吐水され、洋風便器本体が洗浄される。
【０００５】
【発明が解決しようとする課題】
しかし、上記従来の洋風水洗式便器では、カバーの外面に設けられる洗浄ハンドルがレバーやカムシャフトと結合され、かつレバーやカムシャフトもチェーンやカムと結合されていたため、清掃、修理、点検等のためにカバーを上方に持ち上げたい場合でも、それに対応し難かった。
【０００６】
この点、給水装置が開閉弁である洋風水洗式便器では、洗浄タンクを用いた洋風水洗式便器に比してカバーが低いため、カバーを上方に持ち上げる場合、洗浄ハンドル、カムシャフト及びカムを下方に残すこととし、それに対応することは可能ではある。
【０００７】
しかしながら、こうして洗浄ハンドル等を下方に残しつつカバーを上方に持ち上げるようにすると、洗浄ハンドルとレバーやカムシャフトとを連結するためにカバーに貫設される穴を上下方向に延在させなければならず、見栄えが悪い。特に、給水装置が洗浄タンクである場合には、洗浄ハンドルが人目に触れやすい位置になり、上下に延びる穴も目立つことから、この傾向が強い。
【０００８】
本発明は上記従来の実情に鑑みてなされたものであって、清掃、修理、点検等のためにカバーを上方に持ち上げるようにする場合の美観の向上を解決すべき課題としている。
【０００９】
【課題を解決するための手段】
本発明の洋風水洗式便器は、洗浄水により洗浄される洋風便器本体と、該洋風便器本体に洗浄水を供給可能な給水装置と、該給水装置を作動させて該洗浄水を該洋風便器本体に吐水させる吐水装置と、該給水装置及び該吐水装置を収納するカバーと、該カバーの外面に設けられ、該吐水装置を手動操作可能な洗浄ハンドルとを備えた洋風水洗式便器において、
前記吐水装置は、前記カバーに装着され、前記洗浄ハンドルに結合された操作手段と、該操作手段と離反可能に前記給水装置に装着され、該操作手段との係合により作動可能な被操作手段とからなり、
該カバーは、前部カバーと、該前部カバーに固定された後部カバーとからなり、
前記洋風便器本体の後部上面に固定され、給水装置を載置する後部ベースプレートと、該後部ベースプレートに対して昇降装置により昇降可能に設けられ、該前部カバーが固定される前部ベースプレートとを備え、
該昇降装置による該前部ベースプレートの昇降に伴い、該カバー全体が昇降することを特徴とする。
【００１０】
本発明の洋風水洗式便器では、カバーを上方に持ち上げる場合、洗浄ハンドルに結合された操作手段と給水装置に装着された被操作手段とが離反し、洗浄ハンドル及び操作手段とカバーとが一体で上方に持ち上がり、洗浄ハンドル等を下方に残す必要がない。このため、洗浄ハンドルを外面に設けるためにカバーに貫設される穴を上下方向に延在させる必要がないため、優れた美観を呈することができる。
【００１１】
また、この洋風水洗式便器では、洗浄ハンドルに結合された操作手段と給水装置に装着された被操作手段とが係合されれば、洗浄ハンドルを操作することにより被操作手段が作動し、給水装置を作動させることができる。
【００１２】
したがって、本発明の洋風水洗式便器では、清掃、修理、点検等のためにカバーを上方に持ち上げるようにする場合の美観を向上させることができる。
【００１３】
本発明の洋風水洗式便器は、洋風便器本体の後部上面に固定され、給水装置を載置する後部ベースプレートと、後部ベースプレートに対して昇降装置により昇降可能に設けられ、カバーが固定される前部ベースプレートとを備えている。こうであれば、前部ベースプレートを昇降装置によって上昇させれば、カバーが上昇することとなる。このため、洋風便器本体の後部上面を容易に剥き出しにすることができる。こうして、洋風便器本体の後部上面に付着している尿等の汚れを容易に除去することが可能となり、この汚れに起因する異臭の発生を防止することができるとともに衛生的ともなる。また、前部ベースプレートを昇降装置により上昇させることによりカバー全体を上昇させることができるため、前部ベースプレートを上昇させた状態において、カバーは、強度の大きな筒形状を保って起立することとなり、例えカバーの肉厚が薄くされていても、容易に撓むことはない。こうして、前部ベースプレートが上昇した状態で外部からカバーに過度の力が加わった場合であっても、前部ベースプレートがカバーを固定する部分やカバー自身が変形し難く、優れた耐久性を発揮する。
【００１４】
こうして後部ベースプレートと前部ベースプレートとを採用した場合、給水装置が洗浄水を貯留する洗浄タンクであり、被操作手段が洗浄タンクの吐水弁を開放するものであり得る。洗浄水を貯留する洗浄タンクは比較的大きな重さを有していることから、これらをカバーから分離して洋風便器本体に残し、容易にカバーを上昇させることができる。また、洗浄ハンドルが人目に触れやすい位置になるため、本発明の効果が大きい。
【００１５】
この場合、操作手段は、洗浄ハンドルをカバーに軸支する作動軸と、作動軸から径方向に突出し、洗浄ハンドルの操作により下方に揺動する第１レバーとを有し、被操作手段は、第１レバーの下方に位置し、第１レバーの揺動により下方に揺動する第２レバーを有し得る。こうであれば、カバーを上方に持ち上げる場合、操作手段の第１レバーと被操作手段の第２レバーとを互いに離反させることができる。また、カバーを上方に持ち上げない場合、洗浄ハンドルを操作することにより、作動軸を介して第１レバーが第２レバーを下方に揺動することとなる。
【００１６】
【発明の実施の形態】
以下、本発明を具体化した実施形態を図１〜５を参照しつつ説明する。
【００１７】
実施形態の洋風水洗式便器は、図１に示すように、陶磁器製の洋風便器本体１の後部上面にカバー２が設けられている。カバー２は、前方に位置する前部カバー２ａと、後方に位置する後部カバー２ｂとから構成されており、前部カバー２ａの下端の手前側には便座４ａ及び便蓋４ｂからなる便座装置４が揺動可能に取り付けられている。
【００１８】
カバー２内には、図２に示すように、後部ベースプレート１０と前部ベースプレート１１と昇降装置１２とが備えられている。後部ベースプレート１０は洋風便器本体１の後部上面に固定されている。後部ベースプレート１０には後端を含む周囲に隔壁１０ａが略垂直に立設されており、隔壁１０ａの内側には図１に示す給水装置としての洗浄タンク５が載置されている。昇降装置１２は、後部ベースプレート１０と前部ベースプレート１１との間に設けられており、前部ベースプレート１１は、この昇降装置１２により後部ベースプレート１０に対して昇降可能とされている。また、前部ベースプレート１１には便座４ａ及び便蓋４ｂの図示しない自動開閉装置、局部洗浄装置のうち温水タンクを除く洗浄ノズル６等、洋風水洗式便器の使用者を検知する人体検知センサ等、水を貯留しない機能装置が固定されている。また、前部ベースプレート１１には、図１に示すように、前部カバー２ａが固定されており、前部カバー２ａの側壁には洗浄ハンドル２ｃが揺動可能に装着されている。前部カバー２ａには後部カバー２ｂが固定されており、前部カバー２ａ及び後部カバー２ｂの上端には手洗鉢７がカバー２と面一となるように載置されている。
【００１９】
特に、カバー２内には、図３に示すように、洗浄タンク５内の洗浄水を洋風便器本体１（図１参照）に吐水させる吐水装置２０が装着されている。吐水装置２０は、洗浄ハンドル２ｃを前部カバー２ａの貫通穴２ｄ（図１参照）で軸支する第１作動軸２０ａと、第１作動軸２０ａから径方向に突出した後で内側に屈曲し、洗浄ハンドル２ｃの操作により下方に揺動する逆Ｌ字型の第１レバー２０ｂとからなる操作手段を有している。また、この吐水装置２０は、第２操作軸２０ｃを内蔵し、図示しないリモコンからの信号により第２操作軸２０ｃを揺動させ得るモータＭと、第１レバー２０ｂの下方に位置して第２操作軸２０ｃの一端から径方向に突出するＩ字型の第２レバー２０ｄと、第２操作軸２０ｃの他端に係止され、洗浄タンク５内の図示しない吐水弁を開放するチェーンとからなる被操作手段を有している。
【００２０】
以上のように構成された洋風水洗式便器では、清掃、修理、点検等のために前部ベースプレート１１を昇降装置１２によって後部ベースプレート１０に対して上昇させた場合、図４に示すように、カバー２及び手洗鉢７を上昇させることができる。こうして、洋風便器本体１の後部上面を容易に剥き出しにすることができるため、洋風便器本体１の後部上面に付着している尿等の汚れを容易に除去することが可能となる。このため、その汚れに起因する異臭の発生を防止することができるとともに衛生的な洋風水洗式便器を保持することができる。また、この状態において、カバー２は強度の大きな筒形状を保って起立することとなる。このため、カバー２の肉厚が薄くされていても、カバー２は容易に撓むことはない。こうして、前部ベースプレート１１が上昇した状態で外部からカバー２に過度の力が加わったとしても、カバー２を固定する部分やカバー２自身が変形し難く、優れた耐久性を発揮することができる。
【００２１】
特に、カバー２及び手洗鉢７を上方に持ち上げる際、図５に示すように、洗浄ハンドル２ｃに結合された第１レバー２０ｂと洗浄タンク５に装着された第２レバー２０ｄとが互いに離反し、洗浄ハンドル２ｃ及び第１レバー２０ｂとカバー２とが一体で上方に持ち上がることとなる。こうして、洗浄ハンドル２ｃ等を下方に残す必要がないため、洗浄ハンドル２ｃを外面に設けるためにカバー２に貫設される貫通穴２ｄを上下方向に延在させる必要がない。このため、優れた美観を呈することができる。また、洗浄水を貯留する洗浄タンク５は比較的大きな重さを有していることから、これらをカバー２から分離して洋風便器本体１上の後部ベースプレート１０上に残し、容易にカバー２を上昇させることができる。また、洗浄ハンドル２ｃが人目に触れやすい位置になるため、大きな効果を呈することができる。
【００２２】
したがって、この洋風水洗式便器では、清掃、修理、点検等のためにカバー２を上方に持ち上げるようにする場合の美観を向上させることができる。
【００２３】
また、この洋風水洗式便器では、前部ベースプレート１１を昇降装置１２によって後部ベースプレート１０に向かって下降させた場合、図１に示すように、カバー２及び手洗鉢７を元の位置に戻すことができる。この際、図３に示すように、洗浄ハンドル２ｃに結合された第１レバー２０ｂと洗浄タンク５に装着された第２レバー２０ｄとが係合されることとなる。こうして、洗浄ハンドル２ｃを操作することにより、第１作動軸２０ａを介して第１レバー２０ｂが第２レバー２０ｄを下方に揺動することとなる。このため、第２レバー２０ｄの揺動により第２作動軸２０ｃが揺動し、チェーンを介して吐水弁を開放させることができる。また、リモコンからの信号によりモータＭが第２作動軸２０ｃを揺動させることもできる。こうして、洗浄タンク５内の洗浄水を吐水弁から洋風便器本体１に吐水させることができる。
【００２４】
なお、給水装置として開閉弁を採用し、水道管内の水道水が洗浄水として洋風便器本体に直接吐水される洋風水洗式便器に本発明を具体化した場合も、同様の効果を発揮することができる。
【図面の簡単な説明】
【図１】実施形態に係り、カバーが降下した洋風水洗式便器の斜視図である。
【図２】実施形態に係り、昇降装置及びベースプレートの斜視図である。
【図３】実施形態に係り、カバーが下降した場合の吐水装置の拡大斜視図である。
【図４】実施形態に係り、カバーが上昇した洋風水洗式便器の斜視図である。
【図５】実施形態に係り、カバーが上昇した場合の吐水装置の拡大斜視図である。
【符号の説明】
１…洋風便器本体
５…給水装置（洗浄タンク）
２０…吐水装置（操作手段（２０ａ…第１作動軸、２０ｂ…第１レバー）、被操作手段（２０ｃ…第２作動軸、２０ｄ…第２レバー））
２…カバー（２ａ…前部カバー、２ｂ…後部カバー）
２ｃ…洗浄ハンドル
１０…後部ベースプレート
１２…昇降装置
１１…前部ベースプレート
【図１】
0003942430.tif 000002
【図２】
0003942430.tif 000003
【図３】
0003942430.tif 000004
【図４】
0003942430.tif 000005
【図５】
0003942430.tif 000006